(57)【要約】【課題】消費電力の低減及び定着ローラの温度分布の均一化を図ることのできる定着装置及び画像形成装置を提供する。【解決手段】軸方向における中心から各端部に向けてそれぞれ距離ｘ１離間した位置までの範囲の発熱量が、その範囲より軸方向外側（端部側）の発熱量より小さい第１ヒータと、軸方向における中心から各端部に向けてそれぞれ距離ｘ２離間した位置までの範囲の発熱量が、その範囲より軸方向外側（端部側）の発熱量より大きい第２ヒータとを備え、ヒータ制御部は、第２温度センサの検出温度が例えば１８５℃に達すると、第１ヒータへの通電動作をオフするとともに第２ヒータへの通電動作をオンする一方、第２温度センサの検出温度がで１８０℃未満となると、第２ヒータへの通電動作をオフするとともに第１ヒータへの通電動作をオンする。【選択図】図６
2009008743.tif 000002
【特許請求の範囲】
【請求項１】
画像形成装置に備えられ、対向配置された一対の挟持体により、現像剤が付着した用紙の下流側への排出動作を行いつつ該用紙を加圧及び加熱する定着装置であって、
前記用紙の排出方向に略直交する、前記挟持体における幅方向の各端部を、前記幅方向の中央部より大きな発熱量で加熱する第１の加熱部と、
前記中央部を前記各端部と同一又はそれ以上の発熱量で加熱する第２の加熱部と、
前記第１及び第２の加熱部の加熱動作を制御する加熱制御部とを備え、
前記加熱制御部は、前記画像形成装置の起動時と画像形成動作中とで、前記第１、第２の加熱部による加熱動作の動作制御を切り替える定着装置。
【請求項２】
前記挟持体の外周面のうち用紙と接触する第１の領域の温度を検出する第１の温度検出部と、
前記挟持体の外周面のうち用紙と接触しない第２の領域の温度を検出する第２の温度検出部とを備え、
前記加熱制御部は、前記第１の温度検出部の検出温度に基づき、前記第１の領域の温度を予め定められた目標温度となるように制御するとともに、前記第２の温度検出部の検出温度が該温度について予め定められた閾値に達すると、加熱動作を行わせる対象の加熱部を切り替える請求項１に記載の定着装置。
【請求項３】
前記加熱制御部は、加熱動作を行わせる対象の加熱部を切り替えた後、前記第２の温度検出部の検出温度が前記閾値より小さくなると、加熱動作を行わせる対象を再度切り替える請求項２に記載の定着装置。
【請求項４】
前記第１の加熱部は、第２の加熱部より定格電力が大きいものであり、
前記加熱制御部は、当該画像形成装置の起動時は、前記第１の加熱部に加熱動作を行わせる請求項１ないし３のいずれかに記載の定着装置。
【請求項５】
前記一対の挟持体のうち一方の挟持体は、０．６ｍｍ以下の肉厚を有する部位に前記第１、第２の加熱部が内蔵された定着ローラであり、
前記第１の加熱部は、前記各端部の発熱量が中央部の発熱量の１．０１倍以上に設定されたものであり、
前記第２の加熱部は、前記各端部の発熱量が中央部の発熱量の１倍以下に設定されたものである請求項１ないし４のいずれかに記載の定着装置。
【請求項６】
用紙に対して所定の画像データに基づく画像形成動作を行う画像形成部と、
前記画像形成部による画像形成動作後の用紙に対して、前記用紙に付着するトナーを該用紙に定着させる前記請求項１ないし５のいずれかに記載の定着装置と
を備える画像形成装置。
【発明の詳細な説明】
【技術分野】
【０００１】
本発明は、画像形成装置において用紙に転写されたトナー像を当該用紙へ定着させる定着処理を施す定着装置、及び該定着装置を搭載する画像形成装置に関するものである。
【背景技術】
【０００２】
一般に、複写機等の画像形成装置には、用紙にトナー像を形成する画像形成部の下流側で該画像形成部により用紙に転写されたトナー像を当該用紙に対して加圧及び加熱することにより定着させる定着装置が搭載されている。かかる定着装置は、熱源（ヒータ）により加熱される定着ローラと、前記定着ローラに密着する加圧ローラとを備えて構成されており、軸心周りに回転している加圧ローラと定着ローラとの間に形成されたニップ部に供給された転写処理済みの用紙に対して、前記定着ローラから熱を供給することによってトナーを溶融させ、これにより、溶融したトナーを用紙の表面に固着させるものである。
【０００３】
この種の定着装置に係る技術文献として、例えば下記特許文献１がある。この特許文献１には、定着装置の立ち上げ時に定着部材及び加圧部材等の回転部材を回転させる前に加熱手段に供給する平均電力が、回転部材の回転後に加熱手段に供給する平均電力よりも大きくなるように、供給電力のデューティを制御する技術が開示されている。
【特許文献１】特開２００６−１５４４８７号公報
【発明の開示】
【発明が解決しようとする課題】
【０００４】
ところで、このような定着装置において、従来、画像形成装置が起動してから定着ローラが所望の定着機能を発揮する所定温度となるまで、前記定着ローラの回転軸方向における両端側が中央側に比して温度上昇しにくいという問題が発生する場合があった。この問題に対し、従来では、両端側が中央側より大きな発熱量で発熱するヒータを採用することで対処していた。
【０００５】
しかしながら、前記両端側の発熱量は画像形成時には過大なものであるため、その分無駄な電力を消費することとなるとともに、定着ローラの温度分布がその軸方向において一定でないことにより、定着処理後の用紙が定着ローラから受けた熱による変形態様が前記軸方向に一様とならず、その結果、該用紙に皺が発生するなどの問題が生じていた。
【０００６】
本発明は、上述した問題点を解決するためになされたものであり、消費電力の低減及び定着ローラの温度分布の均一化を図ることのできる定着装置及び画像形成装置を提供することを目的とする。
【課題を解決するための手段】
【０００７】
請求項１に記載の発明は、画像形成装置に備えられ、対向配置された一対の挟持体により、現像剤が付着した用紙の下流側への排出動作を行いつつ該用紙を加圧及び加熱する定着装置であって、前記用紙の排出方向に略直交する、前記挟持体における幅方向の各端部を、前記幅方向の中央部より大きな発熱量で加熱する第１の加熱部と、前記中央部を前記各端部と同一又はそれ以上の発熱量で加熱する第２の加熱部と、前記第１及び第２の加熱部の加熱動作を制御する加熱制御部とを備え、前記加熱制御部は、前記画像形成装置の起動時と画像形成動作中とで、前記第１、第２の加熱部による加熱動作の動作制御を切り替える定着装置である。
【０００８】
この発明によれば、加熱制御部により、前記画像形成装置の起動時と画像形成動作中とで、第１、第２の加熱部による加熱動作の動作制御を切り替えるようにしたので、例えば第１の加熱部の定格電力と第２の加熱部の定格電力とが異なる場合に、できるだけ定格電力の小さい方の加熱部を使用することで、消費電力の低減を図ることができる。また、第１の加熱部による加熱動作と第２の加熱部による加熱動作とを比較的短い周期で切り替えるようにすると、挟持体の温度分布を幅方向に均一化することが可能となる。
【０００９】
請求項２に記載の発明は、請求項１に記載の定着装置において、前記挟持体の外周面のうち用紙と接触する第１の領域の温度を検出する第１の温度検出部と、前記挟持体の外周面のうち用紙と接触しない第２の領域の温度を検出する第２の温度検出部とを備え、前記加熱制御部は、前記第１の温度検出部の検出温度に基づき、前記第１の領域の温度を予め定められた目標温度となるように制御するとともに、前記第２の温度検出部の検出温度が該温度について予め定められた閾値に達すると、加熱動作を行わせる対象の加熱部を切り替えるものである。
【００１０】
この発明によれば、前記第１の温度検出部の検出温度に基づき、前記第１の領域の温度を予め定められた目標温度となるように制御し、前記第２の温度検出部の検出温度が該温度について予め定められた閾値に達すると、加熱動作を行わせる対象の加熱部を切り替えるようにしたので、前記挟持体における各端部が中央部に比して温度上昇しにくい場合であっても、挟持体の温度分布を幅方向に均一化することができる。
【００１１】
請求項３に記載の発明は、請求項２に記載の定着装置において、前記加熱制御部は、加熱動作を行わせる対象の加熱部を切り替えた後、前記第２の温度検出部の検出温度が前記閾値より小さくなると、加熱動作を行わせる対象を再度切り替えるものである。
【００１２】
この発明によれば、加熱動作を行わせる対象の加熱部を切り替えた後、前記第２の温度検出部の検出温度が前記閾値より小さくなると、加熱動作を行わせる対象を再度切り替えるようにしたので、第２の温度検出部の検出温度と前記閾値との大小に応じて、加熱動作を行わせる対象が切り替えられることになる。これにより、挟持体を前記幅方向に略均一な温度に維持することができる。
【００１３】
請求項４に記載の発明は、請求項１ないし３のいずれかに記載の定着装置において、前記第１の加熱部は、第２の加熱部より定格電力が大きいものであり、前記加熱制御部は、当該画像形成装置の起動時は、前記第１の加熱部に加熱動作を行わせるものである。
【００１４】
この発明によれば、当該画像形成装置の起動時は、前記定格電力が小さい方の加熱部に加熱動作を行わせる場合に比して、前記挟持体が適切な定着機能を発揮するのに要する温度に達するまでの時間を短縮することができる。
【００１５】
そして、請求項１ないし４のいずれかに記載の発明は、前記一対の挟持体のうち一方の挟持体を、０．６ｍｍ以下の肉厚を有する部位に前記第１、第２の加熱部が内蔵された定着ローラとし、前記第１の加熱部を、前記各端部の発熱量が前記中央部の発熱量の１．０１倍以上に設定されたものとし、前記第２の加熱部を、前記各端部の発熱量が前記中央部の発熱量の１倍以下に設定されたものに特に好適である。
【００１６】
請求項６に記載の発明は、用紙に対して所定の画像データに基づく画像形成動作を行う画像形成部と、前記画像形成部による画像形成動作後の用紙に対して、前記用紙に付着するトナーを該用紙に定着させる前記請求項１ないし５のいずれかに記載の定着装置とを備える画像形成装置である。
【００１７】
この発明によれば、画像形成装置において、前記請求項１ないし５のいずれかに記載の発明による作用が得られる。
【発明の効果】
【００１８】
本件によれば、挟持体を前記幅方向に均一な温度に維持することができるため、従来技術に比して消費電力の低減及び定着ローラの温度分布の均一化を図ることができる。
【発明を実施するための最良の形態】
【００１９】
以下、本発明に係る画像形成装置の実施形態を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものであり、本体部２と、本体部２の左方に配設されたスタックトレイ３と、本体部２の上部に配設された原稿読取部４と、原稿読取部４の上方に配設された原稿給送部５とを有している。
【００２０】
また、複合機１のフロント部には、操作部６が設けられている。この操作部６には、ユーザが印刷実行指示を入力するためのスタートキー７と、印刷部数等を入力するためのテンキー８と、各種複写動作の操作ガイド情報等を表示し、これら各種設定入力用にタッチパネル機能を有する液晶ディスプレイ等からなる表示部９と、表示部９で設定された設定内容等をリセットするリセットキー１０と、実行中の印刷（画像形成）動作を停止させるためのストップキー１１と、コピー機能、プリンタ機能、スキャナ機能及びファクシミリ機能を切り換えるための機能切換キー１２とが備えられている。
【００２１】
原稿読取部４は、ＣＣＤ(Charge Coupled Device)センサ及び露光ランプ等からなるスキャナ部１３と、ガラス等の透明部材により構成された原稿台１４及び原稿読取スリット１５とを備える。スキャナ部１３は、図略の駆動部によって移動可能に構成され、原稿台１４に載置された原稿を読み取るときは、原稿台１４に対向する位置で原稿面に沿って移動され、原稿画像を走査しつつ取得した画像データを制御部３８（図３参照）へ出力する。また、原稿給送部５により給送された原稿を読み取るときは、原稿読取スリット１５と対向する位置に移動され、原稿読取スリット１５を介して原稿給送部５による原稿の搬送動作と同期して原稿の画像を取得し、その画像データを制御部３８へ出力する。
【００２２】
原稿給送部５は、原稿を載置するための原稿載置部１６と、画像読み取り済みの原稿を排出するための原稿排出部１７と、原稿載置部１６に載置された原稿を１枚ずつ繰り出して原稿読取スリット１５に対向する位置へ搬送し、原稿排出部１７へ排出するための給紙ローラや搬送ローラ（図示せず）等からなる原稿搬送機構１８を備える。
【００２３】
また、原稿給送部５は、その前面側が上方に移動可能となるように本体部２に対して回動自在に設けられている。原稿給送部５の前面側を上方に移動させて原稿台１４上面を開放することにより、原稿台１４の上面に読み取り原稿、例えば見開き状態にされた書籍等を操作者が載置できるようになっている。
【００２４】
本体部２は、複数の給紙カセット１９と、給紙カセット１９から用紙を１枚ずつ繰り出して画像形成部２１へ搬送する給紙ローラ２０と、給紙カセット１９から搬送されてきた用紙に画像を形成する画像形成部２１とを備える。
【００２５】
画像形成部２１は、スキャナ部１３で取得された画像データに基づきレーザ光等を出力して感光体ドラム２２を露光し、該感光体ドラム２２の表面に静電潜像を形成する光学ユニット２３と、静電潜像が形成された感光体ドラム２２の表面にトナーを付着することによりトナー像を形成する現像部２４と、感光体ドラム２２上のトナー像を用紙に転写する転写部２５と、トナー像が転写された用紙を加熱してトナー像を用紙に定着させる一対のローラ２６，２７（定着ローラ２６，加圧ローラ２７）を備えた定着装置２８と、画像形成部２１内の用紙搬送路中に設けられ、用紙をスタックトレイ３又は排出トレイ２９まで搬送する搬送ローラ対３０，３１等とを備える。
【００２６】
また、用紙の両面に画像を形成する場合は、画像形成部２１で用紙の一方の面に画像を形成した後、この用紙を排出トレイ２９側の搬送ローラ対３０にニップされた状態とする。この状態で搬送ローラ対３０を反転させて用紙をスイッチバックさせ、用紙を用紙搬送路３２に送って画像形成部２１の上流域に再度搬送し、画像形成部２１により他方の面に画像を形成した後、用紙をスタックトレイ３又は排出トレイ２９に排出する。
【００２７】
図２は、定着装置２８の構成を示す斜視図である。図２に示すように、定着装置２８は、フレーム３３と、定着ローラ２６と、加圧ローラ２７と、第１、第２温度センサ３４，３５とを有して構成されている。
【００２８】
フレーム３３は、一定の距離を介して略平行状態で対向する平板状の第１、第２フレーム片３３ａ，３３ｂと、第１、第２フレーム片３３ａ，３３ｂの対向する一方の端部間に形成された平板状の第３フレーム片３３ｃとを有する略Ｕ字形状の部材である。
【００２９】
定着ローラ２６及び加圧ローラ２７は、それぞれ円柱状周面を有する部材であり、互いに所定の圧力で接触した状態で、第１、第２フレーム片３３ａ，３３ｂ間に架け渡されていて、図略のモータにより下流側（矢印Ｑの方向）に用紙を排出するように互いに反対側に回転駆動される。
【００３０】
定着ローラ２６は、外周面を構成する、０．６ｍｍ以下の肉厚を有する部位に、第１、第２ヒータ３６,３７（図３参照）が内蔵され、これらのヒータ３６,３７の発熱により前記部位ひいては前記外周面が所定の温度に加熱される構成を有している。この定着ローラ２６と加圧ローラ２７との間に形成されたニップ部に転写済みの用紙Ｐが供給されると、該ニップ部を通過する用紙Ｐに対して定着ローラ２６から熱が供給されることにより、用紙上のトナーが溶融され、この溶融したトナーが用紙の表面に固着される。
【００３１】
第１、第２温度センサ３４,３５は、それぞれ例えばサーミスタ及び赤外線吸収フィルムを用いて構成されている。第１温度センサ３４は、定着ローラ６の外周面のうち転写済みの用紙Ｐと接触する領域（以下、通紙領域という）に臨む、前記第３フレーム片３３ｃ上の位置に取付けられており、前記通紙領域の温度を検出する。第２温度センサ３５は、定着ローラ６の外周面のうち転写済みの用紙Ｐと接触しない領域（以下、非通紙領域という）に臨む、前記第３フレーム片３３ｃ上の位置に取付けられており、前記非通紙領域の温度を検出する。
【００３２】
図３は、複合機１の定着処理に関する電気的な構成を示すブロック図である。図３に示すように、複合機１は、第１、第２温度センサ３４,３５と、第１、第２ヒータ３６,３７と、制御部３８とを備える。第１、第２温度センサ３４,３５は、図２に示す第１、第２温度センサ３４,３５に相当するものである。
【００３３】
第１、第２ヒータ３６,３７は、図４（ａ），図５（ａ）に示すように一方向に長い棒状を有しており、定着ローラ２６の軸心方向に沿って該ローラ２６にそれぞれ内蔵されている。ここで、注目すべきは、第１ヒータ３６の定格電力と第２ヒータ３７の定格電力とが異なるとともに（ここでは第１ヒータ３６の定格電力の方が大きいものとする）、定着ローラ２６の外周面のうち、第１、第２ヒータ３６,３７に通電したときに、軸方向における、第１ヒータ３６の発熱量の分布と第２ヒータ３７の発熱量の分布とが異なる点である。
【００３４】
具体的には、第１ヒータ３６は、図４（ｂ）に示すように、軸方向における中心から各端部に向けてそれぞれ距離ｘ１離間した位置までの範囲の発熱量が、その範囲より軸方向外側（端部側）の発熱量より小さい（外側の発熱量が前記距離ｘ１離間した位置までの範囲の発熱量の１．０１倍以上）。また、第２ヒータ３７は、図５（ｂ）に示すように、軸方向における中心から各端部に向けてそれぞれ距離ｘ２離間した位置までの範囲の発熱量が、その範囲より軸方向外側（端部側）の発熱量より大きい（外側の発熱量が前記距離ｘ２離間した位置までの範囲の発熱量の１倍以下）。
【００３５】
制御部３８は、各制御プログラム等を記憶するＲＯＭ、一時的にデータを格納するＲＡＭ、及び制御プログラム等をＲＯＭから読み出して実行する中央演算処理装置等からなり、前記第１、第２ヒータ３６，３７の動作を制御するヒータ制御部３８１としての機能を有する。図６（ａ）は、定着ローラ２６の目標温度（矢印Ａ）及び第２温度センサ３５の検出温度（矢印Ｂ）を示すグラフであり、図６（ｂ）は、軸方向における中心から各端部に向けてそれぞれ距離ｘ２離間した位置までの範囲より大きなサイズの用紙に対して定着処理を行う場合のヒータ制御部３８１による第１ヒータ３６への通電制御を示すタイムチャート、図６（ｃ）は、ヒータ制御部３８１による第２ヒータ３７への通電制御を示すタイムチャート、図６（ｄ）は、定着ローラ２６を回転駆動する図略のモータによる駆動動作を示すタイムチャートである。
【００３６】
なお、ここでは、複合機１の電源がオンされるタイミングＴ０から画像形成の指示が行われるタイミングＴ１までの待機期間においては、定着ローラ２６の目標温度が例えば１６０℃に設定され、画像形成を実行するタイミングＴ１〜Ｔ５までの期間は、定着ローラ２６の目標温度が例えば１８０℃に設定されている。
【００３７】
ヒータ制御部３８１は、デューティ制御に基づく前記第１、第２ヒータ３６，３７への通電動作を実行するものであり、前記タイミングＴ０で複合機１の電源がオンされると、画像形成の指示が行われるタイミングＴ１まで、図６（ｂ）に示すように、第１ヒータ３６のみを通電対象として該第１ヒータ３６に通電動作を行い、図６（ａ）に示すように定着ローラ２６の温度を約１６０℃に保つ。ここで、ヒータ制御部３８１は、第１温度センサ３４の検出温度と目標温度（１６０℃）とに基づき、第１ヒータ３６に対する通電動作のオンデューティを決定する。なお、図６（ｄ）に示すように、前記タイミングＴ０〜Ｔ１までの期間、定着ローラ２６を回転駆動するモータは駆動動作を行わない。
【００３８】
次に、タイミングＴ１で画像形成の指示が行われると、ヒータ制御部３８１は、第２温度センサ３５の検出温度が例えば１８５℃に達するタイミングＴ３まで、引き続き第１ヒータ３６のみを通電対象として第１ヒータ３６に通電動作を行う。ここで、ヒータ制御部３８１は、目標温度が例えば１８０℃に設定されているとき、第１温度センサ３４の検出温度と目標温度（１８０℃）とに基づき、第１ヒータ３６に対する通電動作のオンデューティを決定する。この通電動作により定着ローラ２６は約１８０℃に設定される。
【００３９】
第１ヒータ３６は、軸方向における中心から各端部に向けてそれぞれ距離ｘ１離間した位置までの範囲より軸方向外側（端部側）の発熱量が、前記範囲の発熱量より大きいヒータであるため、第１温度センサ３４の検出温度が１８０℃であっても、第２温度センサ３５の検出温度が或るタイミング（タイミングＴ２）で１８０℃を超えることとなる。ここで、ヒータ制御部３８１は、第２温度センサ３５の検出温度がタイミングＴ３で例えば１８５℃に達すると、第１ヒータ３６への通電動作をオフし、第２ヒータ３７への通電動作をオンする。
【００４０】
第２ヒータ３７は、第１ヒータ３６より定格電力が小さく、且つ、軸方向における中心から各端部に向けてそれぞれ距離ｘ２離間した位置までの範囲の発熱量が、その範囲より軸方向外側（端部側）の発熱量より大きいヒータであるから、この通電動作により第２温度センサ３５の検出温度が低下する。ここで、ヒータ制御部３８１は、第２温度センサ３５の検出温度がタイミングＴ４で１８０℃未満となると、第２ヒータ３７への通電動作をオフし、第１ヒータ３６への通電動作をオンする。これにより、第２温度センサ３５の検出温度が再び上昇する。ヒータ制御部３８１は、画像形成が終了するタイミングＴ５までの期間、第２温度センサ３５の検出温度に応じて、第１、第２ヒータ３６，３７への通電の切替動作を繰り返し実行する。
【００４１】
前記タイミングＴ３〜Ｔ５までの期間における第１、第２ヒータ３６，３７への通電動作（加熱方式）により次のような効果が得られる。図７は、従来の加熱方式（１つのヒータのみで定着ローラ２を加熱する方式）により定着ローラ２６を加熱した場合の該定着ローラ２６の各端部の温度変化を示すグラフであり、図８は、本実施形態における加熱方式により定着ローラ２６を加熱した場合の該定着ローラ２６の各端部の温度変化を示すグラフである。
【００４２】
図７に示すように、従来の加熱方式では、定着ローラ２６の一方端部と他方端部とに比較的大きな温度差が生じ、また、この温度差が時間の経過とともに大きくなる。
【００４３】
一方、本実施形態のように第２温度センサ３５の検出温度に応じて第１ヒータ３６への通電動作と第２ヒータ３７への通電動作を切替ながら定着ローラ２６を加熱することにより、図８に示すように、定着ローラ２６の一方端部の温度と他方端部の温度との間に温度差がほとんど発生しないことが判る。これにより、従来のように定着ローラ２６の一方端部と他方端部との温度差により用紙に皺が生じるのを防止又は抑制することができる。
【００４４】
また、従来技術のように、前記タイミングＴ３〜Ｔ５までの期間、常に第１ヒータ３６を用いて定着ローラ２６を加熱する場合に比して、第１ヒータ３６への通電時間を短くして、該第１ヒータ３６より定格電力の小さい第２ヒータ３７への通電動作を行うため、その分、消費電力を従来技術に比して抑制することができる。
【００４５】
また、本実施形態によれば、複合機１の電源がオンされると、定格電力の大きい方のヒータ（第１ヒータ３６）で定着ローラ２６を加熱するようにすることで、定格電力の小さい方のヒータ（第２ヒータ３７）で定着ローラ２６を加熱する場合に比して、定着装置２８を、定着機能を発揮する温度まで速やかに上昇させることができる。
【００４６】
なお、本件は、前記実施形態に加えて又はそれに代えて次の変形形態も採用可能である。
【００４７】
［１］定格電力が小さい方のヒータ（第２ヒータ３７）として、図５（ｂ）に示すような発熱態様を有するヒータに代えて、例えば図９に示すように、両端の微小範囲（矢印Ｃで示す範囲）を除く大部分が、最大の発熱量を出力する部位とされ、前記微小範囲の発熱量がそれより小さい発熱態様を有するヒータも採用可能である。
【００４８】
［２］前記第１の実施形態では、前記タイミングＴ３〜Ｔ５までの期間、第２温度センサ３５の検出温度に応じて、第１ヒータ３６への通電動作と第２ヒータ３７への通電動作とを切り替えるようにしたが、第２ヒータ３７のうち軸方向における中心から各端部に向けてそれぞれ距離ｘ２離間した位置までの発熱量が大きい部位が或る用紙のサイズに対応させたときには、用紙への画像形成開始時から、或いは、第２温度センサ３５の検出温度が所定温度（例えば前述の１８５℃）に達した時点から、第２ヒータ３７のみで定着ローラ２６を加熱するモードを備えてもよい。これによっても、第１ヒータ３６を用いて定着処理を行う場合に比して消費電力を低減することができる。
【図面の簡単な説明】
【００４９】
【図１】本発明の一実施形態に係る画像形成装置の一例である複合機の内部構成を概略的に示す側面図である。
【図２】定着装置の構成を示す斜視図である。
【図３】複合機１の定着処理に関する電気的な構成を示すブロック図である。
【図４】第１ヒータにおける各部位の発熱量の分布を示す図である。
【図５】第２ヒータにおける各部位の発熱量の分布を示す図である。
【図６】（ａ）は、定着ローラの目標温度（矢印Ａ）及び第２温度センサの検出温度（矢印Ｂ）を示すグラフ、（ｂ）は、軸方向における中心から各端部に向けてそれぞれ距離ｘ２離間した位置までの範囲より大きなサイズの用紙に対して定着処理を行う場合のヒータ制御部による第１ヒータへの通電制御を示すタイムチャート、（ｃ）は、ヒータ制御部による第２ヒータへの通電制御を示すタイムチャート、（ｄ）は、定着ローラを回転駆動する図略のモータによる駆動動作を示すタイムチャートである。
【図７】従来の問題点の説明図である。
【図８】第１の実施形態による効果の説明図である。
【図９】第２ヒータの変形例を示す図である。
【符号の説明】
【００５０】
２６  定着ローラ
２７  加圧ローラ
２８  定着装置
３４  第１温度センサ
３５  第２温度センサ
３６  第１ヒータ
３７  第２ヒータ
３８１  ヒータ制御部
【図１】
2009008743.tif 000003
【図２】
2009008743.tif 000004
【図３】
2009008743.tif 000005
【図４】
2009008743.tif 000006
【図５】
2009008743.tif 000007
【図６】
2009008743.tif 000008
【図７】
2009008743.tif 000009
【図８】
2009008743.tif 000010
【図９】
2009008743.tif 000011